(57)【特許請求の範囲】
【請求項１】
表面部と裏面部とを複数の筒状桁で連結した合成樹脂の一体成形の四方差しのパレットであって、対向する一対の面に両端部が開口する第１のフォーク挿入孔と、対向する他の一対の面に両端部が開口し且つ上記第１のフォーク挿入孔と直交する第２のフォーク挿入孔とを形成し、パレットの一対の第１のフォーク挿入孔と一対の第２のフォーク挿入孔とが交わる部分の裏面部に裏面側開口部を形成し、第１のフォーク挿入孔の上下方向の寸法を第２のフォーク挿入孔の上下方向の寸法よりも短くし、第２のフォーク挿入孔の下面部を構成する下の桟の上下方向の寸法を第１のフォーク挿入孔の下面部を構成する桟の上下方向の寸法よりも短くし、第２のフォーク挿入孔の下面部の裏面側開口部側の端部を第１のフォーク挿入孔のフォーク挿入方向に平行な垂直桟で構成し、該垂直桟の下端が第２のフォーク挿入孔の下面部の最下端で且つ垂直桟の上端が第２のフォーク挿入孔の下面部の最上端となり、筒状桁の第１のフォーク挿入孔の側面となる壁面の延長線より上記垂直桟を裏面側開口部の中心から遠ざかるように後退させて成ることを特徴とするパレット。
【発明の詳細な説明】
【０００１】
【発明の属する技術分野】
本発明は、フォークリフトのフォークの使用とハンドリフター装置の車輪付きのフォークの使用とができるパレットに関するものである。
【０００２】
【従来の技術】
従来から４方差しのパレットが知られており、従来の４方差しのパレットにおいて、対向する一対の面に開口するフォーク挿入孔の上下方向の寸法と対向する他の一対の面に開口するフォーク挿入孔の上下方向の寸法はいずれも同じ上下方向の寸法が同じであって、このフォーク挿入孔にはフォークリフトのフォークを差し込んで使用できるとともにハンドリフター装置のフォークのを差し込んで使用できるようになっている。
【０００３】
ここでフォークリフトにおいてはフォークのみがフォーク挿入孔に挿入されるが、ハンドリフター装置においてはフォークに車輪が付いており、車輪を転動しながら車輪付きのフォークをフォーク挿入孔に挿入するようにしており、このため、従来にあっては、フォーク挿入孔にフォークリフトのフォーク及びハンドリフター装置のフォークのいずれも挿入できるようにするため、フォーク挿入孔の上下方向の寸法をハンドリフター装置の車輪付きのフォークを挿入できる寸法としてあった。したがって、従来の４方差しのパレットにおいてすべてのフォーク挿入孔の上下方向の寸法は車輪付きのフォークを挿入できるように略８８ｍｍ以上に設定してあった。
【０００４】
ところでパレットに必要な強度を発現するために桟を設けてあり、フォーク挿入孔の上面部及び下面部も桟により構成してある。そして、フォーク挿入孔の上面部及び下面部の桟もパレット全体の強度に係わっているので、このフォーク挿入孔の上面部及び下面部を構成する桟の上下方向の寸法は一定の寸法以上必要となってしまう。
【０００５】
一方、パレットは上下に積み重ねて保管したり、搬送したりするが、上下の嵩が高く、大きな上下スペースの保管場所が必要で、搬送に際しても大きな上下スペースが必要となるという問題があり、パレットの薄型化が求められている。
【０００６】
しかしながら、従来においては、上記のように４方差しのパレットのすべてのフォーク挿入孔が車輪付きのフォークを挿入できるように上下方向の寸法を長く設定してあり、また、フォーク挿入孔の上面部及び下面部を構成する桟の上下方向の寸法を短くできないので、結局パレットの薄型化ができないという問題があった。
【０００７】
【発明が解決しようとする課題】
本発明は上記の点に鑑みてなされたものであり、フォークリフトのフォークの使用とハンドリフター装置の車輪付きのフォークの使用とができながら簡単な構成で薄型化することができるパレットを提供することを課題とするものである。
【０００８】
【課題を解決するための手段】
上記課題を解決するために本発明に係るパレットは、表面部７と裏面部６とを複数の筒状桁１２で連結した合成樹脂の一体成形の四方差しのパレット５であって、対向する一対の面に両端部が開口する第１のフォーク挿入孔１と、対向する他の一対の面に両端部が開口し且つ上記第１のフォーク挿入孔１と直交する第２のフォーク挿入孔２とを形成し、パレット５の一対の第１のフォーク挿入孔１と一対の第２のフォーク挿入孔２とが交わる部分の裏面部に裏面側開口部１３を形成し、第１のフォーク挿入孔１の上下方向の寸法Ｈ１を第２のフォーク挿入孔２の上下方向の寸法Ｈ２よりも短くし、第２のフォーク挿入孔２の下面部を構成する下の桟４の上下方向の寸法Ｍ２を第１のフォーク挿入孔１の下面部を構成する桟４の上下方向の寸法Ｍ１よりも短くし、第２のフォーク挿入孔２の下面部の裏面側開口部１３側の端部を第１のフォーク挿入孔１のフォーク挿入方向に平行な垂直桟で構成し、該垂直桟の下端が第２のフォーク挿入孔２の下面部の最下端で且つ垂直桟の上端が第２のフォーク挿入孔２の下面部の最上端となり、筒状桁１２の第１のフォーク挿入孔１の側面となる壁面の延長線より上記垂直桟を裏面側開口部１３の中心から遠ざかるように後退させて成ることを特徴とするものである。このような構成とすることで、上下方向の寸法Ｈ２が長い第２のフォーク挿入孔２をハンドリフター装置の車輪付きのフォークを挿入するためのフォーク挿入孔とし、上下方向の寸法Ｈ１が短い第１のフォーク挿入孔１を通常のフォークリフト装置のフォークを挿入するためのフォーク挿入孔として使い分けることで、フォークリフトのフォークの使用とハンドリフター装置の車輪付きのフォークの使用とができるものであり、しかも、第２のフォーク挿入孔２の下面部を構成する下の桟４の上下方向の寸法Ｍ２を第１のフォーク挿入孔１の下面部を構成する桟４の上下方向の寸法Ｍ１よりも短くしているので、パレット５の裏面部６から第２のフォーク挿入孔２の下面までの上下方向の寸法を短くできて、第２のフォーク挿入孔２にハンドリフター装置の車輪付きのフォークを挿入する場合に、第２のフォーク挿入孔２の下面部の桟に車輪が引っ掛かることなくスムーズに出し入れでき、また、第２のフォーク挿入孔２の上面部を構成する桟は上下方向の寸法を短くする必要がないので、車輪付きのフォークを挿入して持ち上げた際に安定してパレット５を持ち上げることができる。これによりパレット５全体の強度を確保しながらパレット５の上下方向の寸法を短くできて薄型化が可能となるものである。
【００１０】
【発明の実施の形態】
以下、本発明を添付図面に示す実施形態に基づいて説明する。
【００１１】
図１乃至図６には本発明のパレット５の一実施形態が示してある。パレット５は合成樹脂によって一体に射出成形してあり、表面部７と裏面部６とが、表面部７と裏面部６の隅部同士を連結する４個の隅の筒状桁１２と、表面部７と裏面部６との周囲の中間部同士を連結する４個の中間の筒状桁１２と、表面部７と裏面部６の中央部同士を連結する１個の中央部の筒状桁１２により連結してある。このように、表面部７と裏面部６とを４個の隅の筒状桁１２と、４個の中間の筒状桁１２と、１個の中央部の筒状桁１２とにより一体に連結することで、上記の筒状桁１２間にフォーク挿入孔が井の字状に形成された四方差しパレット５を構成している。上記井の字状に形成されたフォーク挿入孔のうち対向する一対の面に両端部が開口するフォーク挿入孔が第１のフォーク挿入孔１となっている。また、対向する他の一対の面に両端部が開口し且つ上記第１のフォーク挿入孔１と直交するフォーク挿入孔が第２のフォーク挿入孔２となっている。
【００１２】
ここで、第１のフォーク挿入孔１の上下方向の寸法Ｈ１が第２のフォーク挿入孔２の上下方向の寸法Ｈ２よりも短くなっており、上下方向の寸法が長い方の第２のフォーク挿入孔２がハンドリフター装置の車輪付きのフォークを挿入するためのフォーク挿入孔となっており、ハンドリフター装置の車輪付きのフォークが挿入できる上下方向の寸法となっており、例えば第２のフォーク挿入孔２の上下方向の寸法が８８ｍｍとなっている。一方、上下方向の寸法が短い第１のフォーク挿入孔１は、一般のフォークリフトのフォークを挿入するためのフォーク挿入孔となっており、例えば第１のフォーク挿入孔１の上下方向の寸法が７３ｍｍ程度に設定してあり、上記のように第１のフォーク挿入孔１は一般のフォークリフトのフォーク挿入用となっており、一般のフォークリフトのフォークには車輪が付設してないので、上下方向の寸法はハンドリフター装置の車輪付きのフォークを挿入する第２のフォーク挿入孔１よりも上下方向の寸法が短くてよく、上記のように上下方向の寸法を７３ｍｍ程度に設定しても問題がないものである。
【００１３】
添付図面に示す実施形態においてはパレット５の第１のフォーク挿入孔１と第２のフォーク挿入孔２とが交わる部分においては裏面部６に裏面側開口部１３が形成してある。第１のフォーク挿入孔１及び第２のフォーク挿入孔２は上記裏面側開口部１３を除いて上面部及び下面部に桟４が設けてあって、この桟４としては隣接する筒状桁１２間に一体に架設された桟４ａと、第１又は第２のフォーク挿入孔１、２に平行で且つ上記桟４ａと一体に交差する桟４ｂとで構成してある。
【００１６】
上記のように、第１のフォーク挿入孔１の上下方向の寸法Ｈ１を第２のフォーク挿入孔２の上下方向の寸法Ｈ２よりも短くしてある。つまり、第２のフォーク挿入孔２はハンドリフター装置の車輪付きのフォークを挿入するためにフォーク挿入孔の上下方向の寸法を長く取る必要があるが、第１のフォーク挿入孔１は第２のフォーク挿入孔２よりも上下方向の寸法が短くてよいので、上記のように第１のフォーク挿入孔１の上下方向の寸法Ｈ１を第２のフォーク挿入孔２の上下方向の寸法Ｈ２よりも短くしてある。また、第２のフォーク挿入孔２の下面部を構成する下の桟４の上下方向の寸法を第１のフォーク挿入孔１の下面部を構成する桟４の上下方向の寸法よりも短くしてあり、この結果、パレット５の裏面部６から第２のフォーク挿入孔２の下面までの上下方向の長さをパレット５の裏面部６から第１のフォーク挿入孔１までの上下方向の寸法よりも短くしてある。このように、第２のフォーク挿入孔２の上面部又は下面部を構成する桟４のうち下面部を構成する桟４の上下方向の寸法Ｍ２を短くすることで、上面部を構成する桟４の上下方向の寸法は第１のフォーク挿入孔１の上面部を構成する桟４の上下方向の寸法と同じ長さにでき、第２のフォーク挿入孔２にハンドリフター装置の車輪付きのフォークを挿入してパレット５を上方に持ち上げた場合におけるフォークにより安定して持ち上げることができるものであり、これによりパレット５全体の上下方向の寸法を短く、つまり薄型化できるものであり、例えばパレット５の上下方向の寸法を１２０ｍｍ程度とすることが可能となる。また、パレット５の裏面部６から第２のフォーク挿入孔２の下面までの上下方向の長さをパレット５の裏面部６から第１のフォーク挿入孔１までの上下方向の寸法よりも短くしてあるので、第２のフォーク挿入孔２にハンドリフター装置の車輪付きのフォークを挿入したり、引き出したりする際に、第２のフォーク挿入孔２の下面部を構成する桟に車輪が引っ掛かることなくスムーズに移動してフォークの出し入れができるものである。また、図４、図５に示すように、第２のフォーク挿入孔２の下面部の裏面側開口部１３側の端部を第１のフォーク挿入孔１のフォーク挿入方向に平行な垂直桟で構成し、該垂直桟の下端が第２のフォーク挿入孔２の下面部の最下端で且つ垂直桟の上端が第２のフォーク挿入孔２の下面部の最上端となり、筒状桁１２の第１のフォーク挿入孔１の側面となる壁面の延長線より上記垂直桟を裏面側開口部１３の中心から遠ざかるように後退させてある。
【００１７】
上記のように４方差しのパレット５において、一般のフォークリフトのフォークを挿入する場合には上下方向の寸法が短い第１のフォーク挿入孔１に挿入して持ち上げるものであり、また、ハンドリフター装置の車輪付きのフォークを挿入する場合には上下方向の寸法が短い第２のフォーク挿入孔２に挿入して持ち上げるものである。このようにして、本発明のパレット５は一般のフォークリフトのフォーク及びハンドリフター装置の車輪付きのフォークのいずれも使用できるものであり、しかも、上記のように、第１のフォーク挿入孔１の上下方向の寸法を第２のフォーク挿入孔２の上下方向の寸法よりも短くして、第２のフォーク挿入孔２の下面部を構成する下の桟４の上下方向の寸法を第１のフォーク挿入孔１の下面部を構成する桟４の上下方向の寸法よりも短くし、第２のフォーク挿入孔２の下面部の裏面側開口部１３側の端部を第１のフォーク挿入孔１のフォーク挿入方向に平行な垂直桟で構成し、該垂直桟の下端が第２のフォーク挿入孔２の下面部の最下端で且つ垂直桟の上端が第２のフォーク挿入孔２の下面部の最上端となり、筒状桁１２の第１のフォーク挿入孔１の側面となる壁面の延長線より上記垂直桟を裏面側開口部１３の中心から遠ざかるように後退させてあるので、パレット５全体の上下方向の寸法を短くしても、第１のフォーク挿入孔１、第２のフォーク挿入孔２の上面部を構成する桟４の上下方向の寸法を長くでき、この結果、パレット５全体の強度を確保しながらパレット５の上下方向の寸法を短くできて薄型化が可能となり、パレット５を多段に積み重ねた場合における嵩を低くでき、搬送、保管に当たって、スペース的に有利となるものである。
【００１９】
【発明の効果】
上記のように本発明にあっては、対向する一対の面に両端部が開口する第１のフォーク挿入孔と、対向する他の一対の面に両端部が開口し且つ上記第１のフォーク挿入孔と直交する第２のフォーク挿入孔とを形成し、パレットの一対の第１のフォーク挿入孔と一対の第２のフォーク挿入孔とが交わる部分の裏面部に裏面側開口部を形成し、第１のフォーク挿入孔の上下方向の寸法を第２のフォーク挿入孔の上下方向の寸法よりも短くし、第２のフォーク挿入孔の下面部を構成する下の桟の上下方向の寸法を第１のフォーク挿入孔の下面部を構成する桟の上下方向の寸法よりも短くし、第２のフォーク挿入孔の下面部の裏面側開口部側の端部を第１のフォーク挿入孔のフォーク挿入方向に平行な垂直桟で構成し、該垂直桟の下端が第２のフォーク挿入孔の下面部の最下端で且つ垂直桟の上端が第２のフォーク挿入孔の下面部の最上端となり、筒状桁の第１のフォーク挿入孔の側面となる壁面の延長線より上記垂直桟を裏面側開口部の中心から遠ざかるように後退させてあるので、上下方向の寸法が短い第１のフォーク挿入孔に一般のフォークリフトのフォークを挿入して使用し、上下方向の寸法が長い第２のフォーク挿入孔にハンドリフター装置の車輪付きのフォークを挿入して使用することができ、また、第２のフォーク挿入孔にハンドリフター装置の車輪付きのフォークを挿入する場合に、第２のフォーク挿入孔の下面部の桟に車輪が引っ掛かることなくスムーズに出し入れできる。また、第２のフォーク挿入孔の上面部を構成する桟は上下方向の寸法を短くする必要がないので、車輪付きのフォークを挿入して持ち上げた際に安定してパレットを持ち上げることができるものであり、この結果、パレット全体の強度を確保しながらパレットの上下方向の寸法を短くできて薄型化が可能となるものであり、簡単な構成で、フォークリフトのフォークの使用とハンドリフター装置のフォークの使用とができながら薄型のパレットを提供することができるものである。
【図面の簡単な説明】
【図１】本発明のパレットの平面図である。
【図２】同上の正面図である。
【図３】同上の側面図である。
【図４】同上の底面図である。
【図５】同上の図１のＸ−Ｘ線断面図である。
【図６】同上の図１のＹ−Ｙ線断面図である。
【符号の説明】
１  第１のフォーク挿入孔
２  第２のフォーク挿入孔
４  桟
５  パレット
６  裏面部
【図１】
0004564156.tif 000002
【図２】
0004564156.tif 000003
【図３】
0004564156.tif 000004
【図４】
0004564156.tif 000005
【図５】
0004564156.tif 000006
【図６】
0004564156.tif 000007